(57)【要約】【課題】  配電線を径間途中から切断する作業を行う場合に、断線した配電線が落下するのを防止するのに有効な電線支持具を提供する。【解決手段】  複数の配電線からなる配電線路の隣接する少なくとも２本の配電線を支持する電線支持具１であって、前記少なくとも２本の配電線の各々を挟持することにより、各々の配電線に取り付けられる複数の電線支持部２ａ〜２ｃと、隣接する電線支持部２ａ〜２ｂ、２ｂ〜２ｃ間を連結する連結ロッドとを備えている。配電線の切断箇所の両側にストレインロッドを取り付け、ストレインロッドにより配電線に張力を加えた際に、配電線の電柱への取付部に荷重が集中して、配電線が電柱への取付部から断線しても、その断線した配電線を電線支持具を介して隣接する配電線に支持することにより、その断線した配電線が落下するのを防止する。【選択図】        図１
2014193023.tif 000002
【特許請求の範囲】
【請求項１】
複数の配電線からなる配電線路の隣接する少なくとも２本の配電線を支持する電線支持具であって、
前記少なくとも２本の配電線の各々を挟持することにより、各々の配電線に取り付けられる複数の電線支持部と、隣接する電線支持部間を連結する連結ロッドとを備えていることを特徴とする電線支持具。
【請求項２】
前記連結ロッドは、伸縮可能に構成されていることを特徴とする請求項１に記載の電線支持具。
【請求項３】
前記連結ロッドは、隣接する電線支持部の各々のフレームにそれぞれ連結される固定ねじと、両固定ねじ間に回転可能に螺着される可動ねじとからなり、該可動ねじを回転させることにより前記連結ロッドの全長が伸縮されることを特徴とする請求項２に記載の電線支持具。
【請求項４】
前記各電線支持部は、フレームと、該フレームに進退可能に螺着される締め付けねじと、該締め付けねじの先端に設けられるとともに、前記フレームの内面との間で前記配電線を挟持する押し金具とを備えていることを特徴とする請求項１〜３の何れか１項に記載の電線支持具。
【請求項５】
前記各フレームは、一側が開口する略Ｃ形状をなし、該フレームの一方の端部近傍に前記締め付けねじが螺着され、該締め付けねじが該フレームの他方の端部の方向に進退可能に構成されていることを特徴とする請求項４に記載の電線支持具。
【請求項６】
前記複数の電線支持部は、各フレームが同一方向を向くように、所定の間隔をおいて設けられていることを特徴とする請求項４又は５に記載の電線支持具。
【発明の詳細な説明】
【技術分野】
【０００１】
本発明は、電線支持具に関し、特に、間接活線工法により配電線路を径間途中から切断する作業時に、切断した配電線が落下するのを防止するのに有効な電線支持具に関する。
【背景技術】
【０００２】
従来、図７に示すように、間接活線工法により配電線路２１を径間途中から切断する場合に、配電線２２〜２４の切断箇所の両側をストレインロッド２５で支持し、この状態で配電線２２〜２４を切断箇所から切断することにより、切断した配電線２２〜２４が落下するのを防止している。
【０００３】
ところで、ストレインロッド２５により配電線２２〜２４を支持する場合、ストレインロッド２５で配電線２２〜２４に張力を加えて、配電線２２〜２４の切断箇所付近に弛みを生じさせた状態で、配電線２２〜２４を切断箇所から切断しているため、配電線２２〜２４を電柱２６に取り付けている取付部２７（クランプ等）に荷重が集中し、配電線２２〜２４が電柱２６の取付部２７から断線して落下するおそれがある。このため、細心の注意を払って配電線２２〜２４を径間途中から切断する作業を行い、断線した配電線２２〜２４が落下するのを防止する必要がある。
【０００４】
上記のような問題に対処するために、例えば、特許文献１に記載のような技術を適用することが考えられる。
特許文献１に記載の技術は、電線ホルダーとスライドホルダーの間で配電線を挟持するように構成したものであって、各電線ホルダーとスライドホルダーとの間で三相の配電線の各々を挟持することにより、三相の配電線の相互間を保持することができるものである。
【０００５】
特許文献１に記載の技術（電線仮支持器）を用いて、三相の配電線相互間を保持しておくことにより、各配電線を径間途中から切断するために、各配電線の切断箇所の両側をストレインロッドで支持して、ストレインロッドにより各配電線に張力を加えて、各配電線を電柱に取り付けている取付部に荷重が集中して、各配電線が電柱の取付部から断線しても、その配電線を電線仮支持器を介して他の配電線に支持することができるので、断線した配電線が落下するようなことはない。
【先行技術文献】
【特許文献】
【０００６】
【特許文献１】特開平１０−１６４７１６号公報
【発明の概要】
【発明が解決しようとする課題】
【０００７】
しかし、特許文献１に記載の技術は、絶縁棒、絶縁棒の３箇所に固定される電線ホルダー、絶縁棒の各電線ホルダーに対応する部分にそれぞれ回動可能に設けられるスライドホルダー、絶縁棒に対して平行に設けられるとともに、各スライドホルダーのスライド溝に装着されたピンによって支持される連結ロッド、連結ロッドを絶縁棒の軸線方向に付勢するスプリング等、からなる複雑な構成のものであるため、製造に手間がかかり、製造費が高くつく。
【０００８】
また、隣接する電線ホルダー（スライドホルダー）間の間隔の調整ができないため、配電線間の間隔の異なる各種の配電路に適用することができない。
【０００９】
本発明は、上記のような従来の問題に鑑みなされたものであって、製造が容易で、製造費を安く抑えることができるとともに、配電線間の間隔の異なる各種の配電路に適用することができる電線支持具を提供することを目的とする。
【課題を解決するための手段】
【００１０】
上記のような課題を解決するために、本発明は、以下のような手段を採用している。
すなわち、本発明は、複数の配電線からなる配電線路の隣接する少なくとも２本の配電線を支持する電線支持具であって、前記少なくとも２本の配電線の各々を挟持することにより、各々の配電線に取り付けられる複数の電線支持部と、隣接する電線支持部間を連結する連結ロッドとを備えていることを特徴とする。
【００１１】
本発明の電線支持具によれば、複数の配電線の各々を電線支持部で挟持することにより、各々の配電線に電線支持部が取り付けられ、隣接する電線支持部間が連結ロッドを介して相互に連結されることになる。
従って、複数の配電線の各々を切断する作業を行う場合に、各配電線にストレインロッドにより張力を加えることにより、各配電線が電柱の取付部から断線しても、その断線した配電線を電線支持具を介して隣接する配電線に支持することができるので、その断線した配電線が落下するのを防止できる。
【００１２】
また、本発明において、前記連結ロッドは、伸縮可能に構成されていることしてもよい。
【００１３】
本発明の電線支持具によれば、連結ロッドを伸縮させることにより、隣接する電線支持部間の間隔を伸縮させることができるので、配電線間の間隔の異なる各種の配電線路に適用することができる。
【００１４】
また、本発明において、前記連結ロッドは、隣接する電線支持部の各々のフレームにそれぞれ連結される固定ねじと、両固定ねじ間に回転可能に螺着される可動ねじとからなり、該可動ねじを回転させることにより前記連結ロッドの全長が伸縮されることとしてもよい。
【００１５】
本発明の電線支持具によれば、固定ねじに対して可動ねじを一方又は他方に回転させることにより、連結ロッドの全長を伸縮させることができて、隣接する電線支持部のフレーム間の間隔を調整することができる。従って、配電線間の間隔が異なる各種の配電線路に適用することができる。
【００１６】
また、本発明において、前記各電線支持部は、フレームと、該フレームに進退可能に螺着される締め付けねじと、該締め付けねじの先端に設けられるとともに、前記フレームの内面との間で前記配電線を挟持する押し金具とを備えていることとしてもよい。
【００１７】
本発明の電線支持具によれば、各電線支持部のフレームの内面と押し金具との間に配電線を挿通させ、締め付けねじを進退させてフレームの内面と押し金具との間で配電線を挟持することにより、電線支持部が配電線に取り付けられることになる。
【００１８】
また、本発明において、前記各フレームは、一側が開口する略Ｃ形状をなし、該フレームの一方の端部近傍に前記締め付けねじが螺着され、該締め付けねじが該フレームの他方の端部の方向に進退可能に構成されていることとしてもよい。
【００１９】
本発明の電線支持具によれば、締め付けねじをフレームの他方の端部の方向に進退させることにより、フレームの内面と締め付けねじの先端の押し金具との間隔を変化させることができる。
【００２０】
また、本発明において、前記複数の電線支持部は、各フレームが同一方向を向くように、所定の間隔をおいて設けられていることとしてもよい。
【００２１】
本発明の電線支持具によれば、複数の配電線の各々に電線支持部を取り付ける場合に、各配電線の同一方向から電線支持部を取り付けることができるので、複数の配電線の各々の配電線への電線支持部の取付け作業を効率良く行うことができる。
【発明の効果】
【００２２】
以上、説明したように、本発明の電線支持具によれば、複数の配電線からなる配電線路を径間途中から切断する場合に、切断対象の配電線が電柱の取付部から断線しても、その断線した配電線が落下するようなことはないので、配電線路を径間途中から切断する作業を安全に行うことができる。
【図面の簡単な説明】
【００２３】
【図１】本発明による第１の実施の形態の電線支持具を配電線路に取り付けた状態を示した説明図である。
【図２】図１のＡ−Ａ線断面図である。
【図３】配電線路を径間途中から切断する手順を示した説明図であって、配電線路に図１に示す電線支持具を取り付けた状態を示した説明図である。
【図４】配電線路を径間途中から切断する手順を示した説明図であって、配電線路に図１に示す電線支持具を取り付け、各配電線の切断箇所の両側にストレインロッドを取り付け、各配電線を切断箇所から切断した状態を示した説明図である。
【図５】本発明による第２の実施の形態の電線支持具を配電線路に取り付けた状態を示した説明図である。
【図６】本発明による第３の実施の形態の電線支持具を配電線路に取り付けた状態を示した説明図である。
【図７】従来の配電線路を径間途中から切断する方法を示した説明図である。
【発明を実施するための形態】
【００２４】
以下、図面を参照しながら本発明の実施の形態について説明する。
図１〜４には、本発明による電線支持具の第１の実施の形態が示されている。本実施の形態の電線支持具１は、例えば、間接活線工法により配電線路２１を径間途中から切断する作業に適用され、径間途中から切断した配電線２２〜２４が落下するのを防止するのに有効なものである。
【００２５】
本実施の形態の電線支持具１は、図１に示すように、所定の間隔をおいて互いに平行をなすように設けられる３つの電線支持部２ａ、２ｂ、２ｃと、隣接する電線支持部２ａ〜２ｂ、２ｂ〜２ｃ間をそれぞれ連結する連結ロッド８ａ、８ｂとを備えている。
【００２６】
電線支持部２ａ〜２ｃは、一側が開口する略Ｃ形状をなすとともに、一方の端部近傍にねじ孔４が設けられるフレーム３と、フレーム３のねじ孔４に螺着されるとともに、フレーム３の他方の端部の方向に進退可能な棒状の締め付けねじ５と、締め付けねじ５の先端にスイベルジョイント等を介して回動自在に取り付けられる押し金具６とを備え、締め付けねじ５の後端には、後述する間接活線工具７（図１に想像線で示す）が取り付け可能な操作部５ａが設けられている。
なお、本実施の形態においては、３つの電線支持部２ａ〜２ｃの各々のフレーム３が同一方向を向くように、３つの電線支持部２ａ〜２ｃが所定の間隔をおいて平行に配置されている。
【００２７】
押し金具６の上面には、所定の曲率の曲面からなる凹部６ａがフレーム３の厚み方向（紙面に直交する方向）を向くように設けられ、この凹部６ａとフレーム３の内面の図中上側の曲面３ａとの間で配電線２２〜２４が挟持されるようになっている。
【００２８】
押し金具６には、図２に示すように、フレーム３側の端部に係止爪６ｂが設けられ、この係止爪６ｂがフレーム３の内面に沿って設けられた係止溝３ｂに係止することにより、押し金具６がフレーム３の内面側で締め付けねじ５の軸線周りに回転するのが防止される。
【００２９】
連結ロッド８は、第１電線支持部２ａのフレーム３と第２電線支持部２ｂのフレーム３との間を連結する第１連結ロッド８ａと、第２電線支持部２ｂのフレーム３と第３電線支持部２ｃのフレーム３との間を連結する第２連結ロッド８ｂとを備えてる。
【００３０】
第１連結ロッド８ａは、第１電線支持部２ａのフレーム３の背部に連結される第１固定ねじ９ａと、第２電線支持部２ｂのフレーム３の前部に連結される第２固定ねじ９ｂと、第１固定ねじ９ａと第２固定ねじ９ｂとの間を連結する可動ねじ１０とから構成されている。
【００３１】
第１固定ねじ９ａには、左雄ねじ又は右雄ねじが設けられ、第２固定ねじ９ｂには、第１固定ねじ９ａと向きが反対の右雄ねじ又は左雄ねじが設けられている。可動ねじ１０の内面側の左半部及び右半部には、第１固定ねじ９ａ及び第２固定ねじ９ｂに対応するように、それぞれ雌ねじが設けられている。
【００３２】
第２連結ロッド８ｂは、第２電線支持部２ｂのフレーム３の背部に連結される第１固定ねじ９ａと、第３電線支持部２ｃのフレーム３の前部に連結される第２固定ねじ９ｂと、第１固定ねじ９ａと第２固定ねじ９ｂとの間を連結する可動ねじ１０とから構成されている。
【００３３】
第１固定ねじ９ａには、左雄ねじ又は右雄ねじが設けられ、第２固定ねじ９ｂには、第１固定ねじ９ａと向きが反対の右雄ねじ又は左雄ねじが設けられている。可動ねじ１０の内面側の左半部及び右半部には、第１固定ねじ９ａ及び第２固定ねじ９ｂに対応するように、それぞれ雌ねじが設けられている。
【００３４】
このような構成の第１連結ロッド８ａ及び第２連結ロッド８ｂの第１固定ねじ９ａ、第２固定ねじ９ｂ、及び可動ねじ１０により、第１連結ロッド８ａ及び第２連結ロッド８ｂの可動ねじ１０を一方又は他方に回すことにより、第１連結ロッド８ａ及び第２連結ロッド８ｂの全長を伸縮させることができ、第１電線支持部２ａと第２電線支持部２ｂとの間隔、及び第２電線支持部２ｂと第３電線支持部２ｃとの間隔を拡縮させることができる。
【００３５】
なお、第１連結ロッド８ａ及び第２連結ロッド８ｂは、上記のような構成のものに限らず、第１電線支持部２ａと第２電線支持部２ｂとの間、及び第２電線支持部２ｂと第３電線支持部２ｃとの間を拡縮可能に連結できるものであればよい。
【００３６】
そして、上記のように構成した本実施の形態の電線支持具１を用いて、間接活線工法により複数の配電線２２〜２４からなる配電線路２１（本実施の形態においては、三相の配電線路２１）を径間途中から切断するには、まず、電線支持具１の第１連結ロッド８ａ及び第２連結ロッド８ｂを伸縮させて、第１電線支持部２ａと第２電線支持部２ｂとの間、第２電線支持部２ｂと第３電線支持部２ｃとの間を、第１配電線２２と第２配電線２３との間隔、第２配電線２３と第３配電線２４の間隔にそれぞれ合わせる。
【００３７】
次に、図１に示すように、第１電線支持部２ａのフレーム３と押し金具６との間に第１配電線２２を挿通させ、第２電線支持部２ｂのフレーム３と押し金具６との間に第２配電線２３を挿通させ、第３電線支持部２ｃのフレーム３と押し金具６との間に第３配電線２４を挿通させ、各締め付けねじ５の操作部５ａに間接活線工具７を取り付け、間接活線工具７を介して締め付けねじ５を締め付けることにより、各フレーム３の内面と押し金具６の上面との間で第１配電線２２、第２配電線２３、及び第３配電線２４をそれぞれ挟持し、第１電線支持部２ａ、第２電線支持部２ｂ、及び第３電線支持部２ｃをそれぞれ第１配電線２２、第２配電線２３、及び第３配電線２４に取り付ける。これにより、図３に示すように、第１配電線２２と第２配電線２３との間、第２配電線２３と第３配電線２４との間が電線支持具１を介して相互に保持されることになる。
なお、間接活線工具７としては、例えば、ストレートトング等が挙げられる。
【００３８】
次に、図４に示すように、各配電線２２〜２４の切断箇所の両側の配電線２２〜２４間にストレインロッド２５をそれぞれ取り付け、ストレインロッド２５により各配電線２２〜２４に張力を加えることにより、各配電線２２〜２４の切断箇所付近に弛みを生じさせ、この状態で各配電線２２〜２４の切断箇所を切断工具により切断する。
【００３９】
この場合、例えば、ストレインロッド２５によって第１配電線２２に張力を加えることにより、第１配電線２２の電柱２６への取付部２７に荷重が集中し、第１配電線２２が電柱２６への取付部２７から図中×印で示す箇所から断線したとしても、断線が生じた第１配電線２２は電線支持具１を介して第２配電線２３及び第３配電線２４に支持されることになるので、断線が生じた第１配電線２２が落下するようなことはなく、第１配電線２２の切断作業を安全に行うことができる。
【００４０】
同様に、第２配電線２３の切断作業を行う場合に、第２配電線２３が電柱２６への取付部２７から断線しても、断線した第２配電線２３は電線支持具１を介して第１配電線２２及び第３配電線２４に支持されることになる。また、第３配電線２４の切断作業を行う場合に、第３配電線２４が電柱２６への取付部２７から断線しても、断線した第３配電線２４は電線支持具１を介して第２配電線２３及び第１配電線２２に支持されることになる。
【００４１】
上記のように構成した本実施の形態の電線支持具１にあっては、間接活線工法により配電線路２１の径間途中から切断する作業を行う場合に、ストレインロッド２５により配電線２２〜２４に張力を加えることによって配電線２２〜２４が電柱２６への取付部２７から断線しても、その断線が生じた配電線２２〜２４を電線支持具１を介して隣接する配電線２２〜２４に支持することができる。
【００４２】
従って、断線した配電線２２〜２４が落下するようなことはなく、配電線路２１を径間途中から切断する作業を安全に行うことができる。
【００４３】
また、電線支持具１は、第１電線支持部２ａと第２電線支持部２ｂとの間を第１連結ロッド８ａで連結し、第２電線支持部２ｂと第３電線支持部２ｃとの間を第２連結ロッド８ｂで連結した簡単な構成のものであるので、容易に製造することができ、製造コストを削減することができる。
【００４４】
また、３つの電線支持部２ａ〜２ｃは、各々のフレーム３が同一方向を向くように所定の間隔をおいて配置されているので、配電線路２１の各配電線２２〜２４に各電線支持部２ａ〜２ｃを取り付ける場合に、同一方向から各電線支持部２ａ〜２ｃの締め付けねじ５を締め付けることができるので、各電線支持部２ａ〜２ｃの各配電線２２〜２４への取付け作業を効率良く行うことができる。
【００４５】
また、第１連結ロッド８ａ及び第２連結ロッド８ｂを伸縮させることにより、第１電線支持部２ａと第２電線支持部２ｂとの間、及び第２電線支持部２ｂと第３電線支持部２ｃとの間の間隔を調整することができるので、配電線２２〜２３、２３〜２４間の間隔の異なる各種の配電線路２１の径間途中から切断する作業に適用することができる。
【００４６】
図５には、本発明による電線支持具の第２の実施の形態が示されている。本実施の形態の電線支持具１１は、第１電線支持部２ａと、第２電線支持部２ｂと、第１電線支持部２ａのフレーム３と第２電線支持部２ｂのフレーム３との間を連結する連結ロッド８とを備えたものであって、その他の構成は前記第１の実施の形態に示すものと同様である。
【００４７】
本実施の形態の電線支持具１１は、２つの電線支持部２ａ、２ｂを備えているので、例えば、単相（二相）の配電線路２１を径間途中から切断する作業に適用することができる。
そして、本実施の形態の電線支持具１１にあっても、前記第１の実施の形態に示すものと同様の作用効果を奏し、配電線路２１の各配電線２２〜２３を切断する際に、各配電線２２〜２３が電柱２６への取付部２７から断線しても、その断線が生じた配電線２２〜２３を電線支持具１１を介して隣接する配電線２２〜２３に支持することができるので、配電線２２〜２３の切断作業を安全に行うことができる。
【００４８】
図６には、本発明による電線支持具１２の第３の実施の形態が示されている。本実施の形態の電線支持具１２は、２つの電線支持部（第１電線支持部２ａ及び第２電線支持部２ｂ）を左右対称となるように配置するとともに、第１電線支持部２ａのフレーム３の下部と第２電線支持部２ｂのフレーム３の下部との間を連結ロッド８で連結したものであって、その他の構成は前記第１及び第２の実施の形態に示すものと同様である。
【００４９】
本実施の形態の電線支持具は、第１電線支持部２ａと第２電線支持部２ｂとが左右対称となるように設けられているので、例えば、単相（二相）の配電線２２〜２３の上方から各電線支持部２ａ、２ｂを各配電線２２〜２３に取り付け、各締め付けねじ５の操作部５ａに間接活線工具７を取り付け、間接活線工具７を介して締め付けねじ５を各配電線２２〜２３の内側から締め付けるような使い方ができる。
【００５０】
そして、本実施の形態の電線支持具１２にあっても、前記第１の実施の形態及び第２実施の形態に示すものと同様の作用効果を奏する。
【００５１】
なお、前記各実施の形態においては、本発明による電線支持金具１１〜１２を配電線路２１を径間途中から切断する作業に適用したが、これに限らず、切断した電線が落下するのを防止することが必要な各種の箇所に本発明の電線支持具を適用してもよい。
【符号の説明】
【００５２】
１  電線支持具
２  電線支持部
２ａ  第１電線支持部
２ｂ  第２電線支持部
２ｃ  第３電線支持部
３  フレーム
３ａ  曲面
３ｂ  係止溝
４  ねじ孔
５  締付けねじ
５ａ  操作部
６  押し金具
６ａ  凹部
６ｂ  係止爪
７  ハンドル
８  連結ロッド
８ａ  第１連結ロッド
８ｂ  第２連結ロッド
９  固定ねじ
９ａ  第１固定ねじ
９ｂ  第２固定ねじ
１０  可動ねじ
１１  電線支持具
１２  電線支持具
２１  配電線路
２２  第１配電線
２３  第２配電線
２４  第３配電線
２５  ストレインロッド
２６  電柱
２７  取付部
【図１】
2014193023.tif 000003
【図２】
2014193023.tif 000004
【図３】
2014193023.tif 000005
【図４】
2014193023.tif 000006
【図５】
2014193023.tif 000007
【図６】
2014193023.tif 000008
【図７】
2014193023.tif 000009